(57)【要約】【課題】設置面に容易に取り付けることの可能な照明装置を提供する。【解決手段】照明装置１は、光源を有する光源ユニット１０と、設置面に取り付けられ、光源ユニット１０を保持するための保持部２０であって、幅方向の側面に少なくとも１つの開口２２が設けられた保持部２０と、光源ユニット１０に設けられ、光源ユニット１０を設置面側に付勢する少なくとも１つの板ばね１４であって、保持部２０の幅方向外側から開口２２に挿入可能に形成された板ばね１４と、を備える。【選択図】図１
2017139192.tif 000002
【特許請求の範囲】
【請求項１】
設置面に取り付けられる照明装置であって、
光源を有する光源ユニットと、
前記設置面に取り付けられ、前記光源ユニットを保持するための保持部であって、幅方向の側面に少なくとも１つの開口が設けられた保持部と、
前記光源ユニットに設けられ、前記光源ユニットを前記設置面側に付勢する少なくとも１つの板ばねであって、前記保持部の幅方向外側から前記開口に挿入可能に形成された板ばねと、
を備える照明装置。
【請求項２】
前記板ばねは、前記光源ユニットの幅方向一端側から幅方向他端側に延在するように設けられており、前記設置面に向かって凸となる弧状に形成されている、請求項１に記載の照明装置。
【請求項３】
前記板ばねの先端部は、前記開口の周縁部に係止可能に形成されている、請求項１又は２に記載の照明装置。
【請求項４】
前記板ばねの先端部は、略Ｖ字状に形成されている、請求項３に記載の照明装置。
【請求項５】
前記板ばねが複数設けられている場合に、各板ばねは、前記光源ユニットの幅方向の何れかの端部側に設けられている、請求項１〜４の何れか１項に記載の照明装置。
【請求項６】
前記開口が複数設けられており、各開口は、前記保持部において前記各板ばねに対応する位置に設けられている、請求項５に記載の照明装置。
【発明の詳細な説明】
【技術分野】
【０００１】
本発明は、例えば天井面や壁面などの設置面に取り付けられる照明装置に関する。
【背景技術】
【０００２】
近年、発光ダイオード（ＬＥＤ；Ｌｉｇｈｔ  Ｅｍｉｔｔｉｎｇ  Ｄｉｏｄｅ）等の発光素子を光源として用いる照明装置が普及している。そのような照明装置の一つとして、板状の導光板の側端面に対向して線状に配列された光源を配置して導光板内に光を入射し、光源の配置された側端面に隣接する二面の平板面のいずれかから光を外部に射出して面状に発光させる照明装置が知られている。
【０００３】
照明装置は、一般的に、導光板の出射光面及び出射光面に対向する面を除く側端面を光源ごとフレーム部材で取り囲んだ構造を有する。このような照明装置を天井面に設置する場合、例えば特許文献１に開示されているように、天井面に開口部を設け、電源等の収納される照明装置固定部材を開口部内のアンカーボルトに取り付け、その照明装置固定部材に設けられた取付金具に、照明装置のフレーム部材上に配置されているＶ字ばねを引っ掛けて照明装置を照明装置固定部材に固定する構造が知られている。このような構造の場合、まずＶ字ばねの先端部をＶ字が閉じるように握って先端部のみを取付金具に引っ掛けて仮固定状態とし、この状態で照明装置と天井面との間から手を伸ばして照明装置と電源とを繋ぐ配線作業等を行い、作業完了後に照明装置を押し上げるとＶ字ばねの付勢力によって照明装置が天井面に固定される。
【先行技術文献】
【特許文献】
【０００４】
【特許文献１】特開２０１３−０９６４５７
【発明の概要】
【発明が解決しようとする課題】
【０００５】
ところで、上記のような従来の照明装置では、天井面に固定された照明装置が落下するのを抑制するために、高い剛性がＶ字ばねに求められている。しかしながら、この場合には、Ｖ字ばねの先端部をＶ字が閉じるように握るために大きな握力を要することから、照明装置が取り付け難くなるおそれがあった。
【０００６】
本発明は、このような点に鑑みてなされたものであり、設置面に容易に取り付けることの可能な照明装置を提供することを目的とする。
【課題を解決するための手段】
【０００７】
上記目的を達成するために、本発明は、設置面に取り付けられる照明装置であって、光源を有する光源ユニットと、前記設置面に取り付けられ、前記光源ユニットを保持するための保持部であって、幅方向の側面に少なくとも１つの開口が設けられた保持部と、前記光源ユニットに設けられ、前記光源ユニットを前記設置面側に付勢する少なくとも１つの板ばねであって、前記保持部の幅方向外側から前記開口に挿入可能に形成された板ばねと、を備える照明装置を提供する（発明１）。
【０００８】
上記発明（発明１）によれば、光源ユニットに設けられている板ばねを、設置面に取り付けられた保持部の外側から開口に挿入することによって、照明装置を設置面に取り付けることができるので、照明装置を取り付ける場合に、従来技術では必要であった力（Ｖ字ばねの先端部をＶ字が閉じるように握るための握力）が不要になることから、照明装置を設置面に容易に取り付けることができる。
【０００９】
上記発明（発明１）においては、前記板ばねは、前記光源ユニットの幅方向一端側から幅方向他端側に延在するように設けられており、前記設置面に向かって凸となる弧状に形成されていることが好ましい（発明２）。
【００１０】
上記発明（発明２）によれば、板ばねが、開口の開口方向に沿う方向に延在するように設けられているので、板ばねを開口に容易に挿入することができる。
【００１１】
上記発明（発明１〜２）においては、前記板ばねの先端部は、前記開口の周縁部に係止可能に形成されていることが好ましい（発明３）。
【００１２】
上記発明（発明３）によれば、板ばねの先端部が開口の周縁部に係止することによって、光源ユニットを保持部に仮固定した状態にすることができ、例えば照明装置と電源とを繋ぐ配線作業等を容易に行うことが可能になる。
【００１３】
上記発明（発明３）においては、前記板ばねの先端部は、略Ｖ字状に形成されていることが好ましい（発明４）。
【００１４】
上記発明（発明４）によれば、板ばねの先端部を開口の周縁部に容易に引っ掛けることができる。
【００１５】
上記発明（発明１〜４）においては、前記板ばねが複数設けられている場合に、各板ばねは、前記光源ユニットの幅方向の何れかの端部側に設けられていることが好ましい（発明５）。
【００１６】
上記発明（発明５）によれば、各板ばねの付勢力によって、保持部において光源ユニットを確実に保持することが可能になることから、照明装置の取り付け状態の安定性を向上させることができる。
【００１７】
上記発明（発明５）においては、前記開口が複数設けられており、各開口は、前記保持部において前記各板ばねに対応する位置に設けられていることが好ましい（発明６）。
【００１８】
上記発明（発明６）によれば、各開口が各板ばねに対応する位置に設けられているので、各板ばねを各開口にスムーズに挿入することができる。
【発明の効果】
【００１９】
本発明の照明装置は、設置面に容易に取り付けることができる。
【図面の簡単な説明】
【００２０】
【図１】本発明の一実施形態に係る照明装置の構造を示す概略図である。
【図２】照明装置の発光部の構造を示す断面模式図である。
【図３】照明装置の板ばねの構造を示す概略図である。
【図４】照明装置を取り付けるための設置面及び保持部の構造を示す概略図である。
【図５】（ａ）〜（ｄ）は、照明装置を設置面に取り付ける方法の一例を説明する図である。
【発明を実施するための形態】
【００２１】
以下、本発明の一実施形態を図面に基づいて詳細に説明する。図１は、本実施形態に係る照明装置１の構造を示す概略図である。照明装置１は、例えば天井面や壁面などの設置面Ａ（図３に示す）に取り付けられる平板状の照明装置であって、光源ユニット１０と、光源ユニット１０を保持するための保持部２０とから構成されている。なお、本実施形態では、設置面Ａが天井面である場合を一例として説明する。
【００２２】
先ず、光源ユニット１０の構成について説明する。光源ユニット１０は、発光部１１と、外枠部材１２と、補強部材１３と、板ばね１４と、電源部（図示省略）とを備えている。
【００２３】
ここで、図示省略した電源部は、ＡＣ／ＤＣ変換を行って、発光部１１内に設けられた光源１１３（図２に示す）を駆動するための回路（図示省略）に対してＤＣ電源を供給する。
【００２４】
発光部１１は、図２に示すように、導光板１１１と反射シート１１２との積層構造を有し、導光板１１１の側端部（図２の例では、導光板１１１の幅方向（図中Ｘ方向）の側端部）に光源１１３が配置されてなるものである。発光部１１を構成する導光板１１１は平面視矩形の平板状であり、図２における厚さ方向（図中Ｚ方向）下側の平板面に出射光面１１１ａを有する。導光板１１１は、例えばアクリル樹脂等の公知の透明樹脂から形成され、光源１１３から側端面に入射された光を出射光面１１１ａから面状に出射するように反射加工されている。
【００２５】
導光板１１１の出射光面１１１ａとは反対側の平板面、すなわち出射光面１１１ａの裏側には反射シート１１２が積層されている。反射シート１１２は、例えば厚さ０．５ｍｍ程度の薄いアルミ板から形成され、導光板１１１の平板面全体を覆うように積層されている。
【００２６】
光源１１３は長尺状のＬＥＤ基板（不図示）に複数のＬＥＤ（不図示）を所定の間隔で配列してなるものであり、導光板１１１の一つの側端面に対向するように配置されている。なお、配置形態はこれに限られるものではなく、例えば、光源１１３を更に追加して、追加した光源１１３を、導光板１１１のもう一方の側端面に対向するように配置してもよい。
【００２７】
外枠部材１２は、反射シート１１２を積層した導光板１１１の側端面を四辺が取り囲むように発光部１１が嵌め込まれる平面視矩形のフレーム部材であり、光源１１３は当該外枠部材１２内部に収容される。外枠部材１２は例えば鋼板のベンダー加工やロール鋼板のロールフォーミングによって製造されるが、これに限られるものではなく、例えば押し出し成形によって製造されるアルミニウム合金製であってもよい。
【００２８】
補強部材１３は細長い平板形状を有する長尺状の部材であり、外枠部材１２の対向する二つの長辺（図１の例では、外枠部材１２の長さ方向（図中Ｙ方向）に延びる辺）を渡すように配置され、幅方向（図中Ｘ方向）両端部が外枠部材１２の対向する二つの長辺に固定されている。補強部材１３も外枠部材１２同様に、例えば鋼板のベンダー加工やロール鋼板のロールフォーミングによって製造されるが、これに限られるものではなく、例えば押し出し成形によって製造されるアルミニウム合金製であってもよい。
【００２９】
外枠部材１２の対向する二つの長辺には、光源ユニット１０の幅方向（図中Ｘ方向）に延在する複数（図１の例では四つ）の板ばね１４が設けられている。外枠部材１２の対向する二つの長辺の各々に設けられた二つの板ばね１４は、図１に示すように、光源ユニット１０の長さ方向（図中Ｙ方向）に相互にずれた状態で配置されてもよいし、例えば二つの板ばね１４が互いに接触しないサイズに形成されている場合には、光源ユニット１０の幅方向に沿って対向するように配置されてもよい。各板ばね１４は、光源ユニット１０が保持部２０によって保持されている状態で光源ユニット１０を設置面Ａ側に付勢するものであって、保持部２０の幅方向（図中Ｘ方向）外側から開口２２（後述する）に挿入可能に形成されている。各板ばね１４は、設置面Ａに向かって凸となる（本実施形態の例では、上方に向かって凸となる）弧状となるように、例えば一つの金属板を曲げて形成されてもよく、例えばねじ止め等によって外枠部材１２に取り付けるための取付部１４１であって、光源ユニット１０の幅方向（図中Ｘ方向）一端側から幅方向他端側に延在する取付部１４１と、取付部１４１の幅方向（図中Ｘ方向）端部から上方に向かって凸となるように屈曲した屈曲部１４２と、屈曲部１４２の幅方向（図中Ｘ方向）端部において光源ユニット１０の幅方向他端側から幅方向一端側に曲がるように略Ｖ字状に形成された先端部１４３とから構成されている。
【００３０】
本実施形態では、各板ばね１４が、光源ユニット１０の幅方向一端側から幅方向他端側に延在するように設けられており、設置面Ａに向かって凸となる弧状に形成されている。この場合、各板ばね１４が、開口２２の開口方向に沿う方向（図中Ｘ方向）に延在するように設けられているので、板ばね１４を開口２２に容易に挿入することができる。
【００３１】
本実施形態では、各板ばね１４の先端部１４３が略Ｖ字状に形成されていることにより、各板ばね１４の先端部１４３を開口２２の周縁部に容易に引っ掛けることができる。また、本実施形態では、各板ばね１４の先端部１４３が開口２２の周縁部に係止可能に形成されているので、各板ばね１４の先端部１４３が開口２２の周縁部に係止することによって、光源ユニット１０を保持部２０に仮固定した状態にすることができ、例えば、光源ユニット１０の電源部と建物内に配設されたＡＣ電源線（図示省略）とを繋ぐ配線作業等を容易に行うことが可能になる。
【００３２】
さらに、本実施形態では、各板ばね１４が、光源ユニット１０の幅方向の何れかの端部側に設けられているので、保持部２０において光源ユニット１０をより確実に保持することができ、照明装置１の取り付け状態の安定性を向上させることができる。
【００３３】
本実施形態においては、補強部材１３が外枠部材１２の対向する二つの長辺間に二本設けられており、板ばね１４が外枠部材１２の対向する二つの長辺の各々に二つずつ合計四つ設けられているが、これに限られるものではなく、照明装置１の寸法や重量等に応じてそれらの数を増減させることができる。
【００３４】
次に、保持部２０の構成について図４を参照して説明する。保持部２０は、設置面Ａとは反対方向（本実施形態の例では、下方）に開口した箱型形状を有している。保持部２０は、例えば一つの金属板を曲げて形成されてもよく、保持部２０の上面には、後述するアンカーボルトＡ１を挿通させるための複数（図の例では二つ）の取付孔２１が設けられており、保持部２０の幅方向（図中Ｘ方向）の両側面には、光源ユニット１０の板ばね１４を挿入させるための複数（図の例では四つ）の開口２２が設けられている。
【００３５】
本実施形態では、各開口２２は、保持部２０において各板ばね１４に対応する位置に設けられている。この場合、各板ばね１４を各開口２２にスムーズに挿入することができる。
【００３６】
本実施形態において、設置面Ａには、設置面Ａの外側にある構造物躯体からほぼ鉛直方向にアンカーボルトＡ１が延伸している。ここで、保持部２０を設置面Ａに取り付ける場合には、アンカーボルトＡ１を取付孔２１に挿通して、ナットＡ２を締結する。
【００３７】
本実施形態においては、設置面Ａから延伸するアンカーボルトＡ１が二本設けられており、これに対応して取付孔２１が二つ設けられているが、これに限られるものではなく、照明装置１の寸法や重量等に応じてそれらの数を増減させることができる。
【００３８】
以上のように構成された照明装置１を設置面Ａに取り付ける方法の一例を図５を参照して説明する。なお、ここでは、保持部２０が設置面Ａに既に取り付けられている場合を想定して説明する。先ず、図５（ａ）に示すように、光源ユニット１０が保持部２０の下方に配置されている状態で、複数の板ばね１４のうち光源ユニット１０の幅方向一端側（図の例では右側）の板ばね１４の先端部１４３を、保持部２０の外側から開口２２の周縁部に引っ掛ける。この場合、開口２２の周縁部に引っ掛けられた板ばね１４は、設置面Ａ側（本実施形態の例では上方）に付製するように弾性変形する。次に、図５（ｂ）に示すように、複数の板ばね１４のうち光源ユニット１０の幅方向他端側（図の例では左側）の板ばね１４の先端部１４３を、保持部２０の外側から開口２２の周縁部に引っ掛ける。
【００３９】
そして、図５（ｃ）に示すように、複数の板ばね１４のうち光源ユニット１０の幅方向一端側の板ばね１４を、保持部２０の外側から開口２２に挿通させると、開口２２から挿入された板ばね１４は、弾性変形の復元によって元の形状に戻り、開口２２の周縁部において保持部２０に支持される。なお、図５（ａ）〜（ｃ）の各々の状態では、板ばね１４の先端部１４３が開口２２の周縁部に係止することによって、光源ユニット１０を保持部２０に仮固定した状態にすることができ、例えば光源ユニット１０の電源部と建物内に配設されたＡＣ電源線（図示省略）とを繋ぐ配線作業等を容易に行うことが可能になる。特に、図５（ｃ）の状態では、光源ユニット１０の傾斜角度を大きくした状態で光源ユニット１０を仮固定することができるので、例えば作業者が光源ユニット１０の下方に位置する場合であっても光源ユニット１０の上面を容易に視認することができることから、配線作業等をより容易に行うことが可能になる。
【００４０】
次いで、図５（ｄ）に示すように、複数の板ばね１４のうち光源ユニット１０の幅方向他端側の板ばね１４を、保持部２０の外側から開口２２に挿通させると、光源ユニット１０の幅方向他端側の板ばね１４は、光源ユニット１０の幅方向一端側の板ばね１４と同様に、開口２２の周縁部において保持部２０に支持される。このようにして、光源ユニット１０が保持部２０によって保持されることにより、照明装置１が設置面Ａに取り付けられる。なお、照明装置１を設置面Ａから取り外す場合には、前述した手順とは逆の手順を行うようにしてもよい。
【００４１】
以上説明したように、本実施形態に係る照明装置１によれば、光源ユニット１０に設けられている板ばね１４を、設置面Ａに取り付けられた保持部２０の外側から開口２２に挿入することによって、照明装置１を設置面Ａに取り付けることができるので、照明装置１を取り付ける場合に、従来技術では必要であった力（Ｖ字ばねの先端部をＶ字が閉じるように握るための握力）が不要になることから、照明装置１を設置面Ａに容易に取り付けることができる。
【００４２】
以上、本発明に係る照明装置について図面に基づいて説明してきたが、本発明は上記実施形態に限定されることはなく、種々の変更実施が可能である。
【００４３】
例えば、補強部材１３は、外枠部材１２の対向する二つの短辺（図１の例では、外枠部材１２の幅方向（図中Ｘ方向）に延びる辺）を渡すように配置されており、長さ方向（図中Ｙ方向）両端部が外枠部材１２の対向する二つの短辺に固定されていてもよい。補強部材１３の形状は平板形状に限られず、例えば外枠部材１２の強度を補強する目的のために適した形状に設計しても構わない。
【００４４】
また、板ばね１４は、保持部２０の外側から開口２２に挿入可能であれば如何なる形状を有してもよく、例えば、光源ユニット１０を保持部２０に仮固定する必要がなければ、先端部１４３を開口２２の周縁部に係止するように形成しなくてもよい。
【００４５】
さらに、上記実施形態では、一つの板ばね１４に対応して一つの開口２２を設けていたが、一つの開口２２が複数の板ばね１４を挿入可能に形成されてもよい。
【００４６】
さらにまた、上記実施形態では、複数の板ばね１４が光源ユニット１０の幅方向両端側に設けられている場合を一例として説明したが、複数の板ばね１４が光源ユニット１０の幅方向一端側のみに設けられてもよい。また、板ばね１４の数は、光源ユニット１０の幅方向一端側と幅方向他端側との間で同じであってもよいし異なっていてもよい。さらに、板ばね１４の数は一つであってもよい。
【符号の説明】
【００４７】
１  照明装置
１０  光源ユニット
１１  発光部
１１１  導光板
１１１ａ  出射光面
１１２  反射シート
１１３  光源
１２  外枠部材
１３  補強部材
１４  板ばね
１４１  取付部
１４２  屈曲部
１４３  先端部
２０  保持部
２１  取付孔
２２  開口
Ａ  設置面
Ａ１  アンカーボルト
Ａ２  ナット
【図１】
2017139192.tif 000003
【図２】
2017139192.tif 000004
【図３】
2017139192.tif 000005
【図４】
2017139192.tif 000006
【図５】
2017139192.tif 000007